(57)【特許請求の範囲】
【請求項１】
流体サプライに結合するように構成され、第１の端及び第２の端を有する流体導管と、
前記導管の前記第１の端に近接して位置し、 (i)流体が前記流体サプライから前記導管を通って流れることを妨げる閉状態と、(ii)流体が前記流体サプライから前記導管を通って流れることを許容する開状態と、を有するバルブと、
前記導管の前記第２の端に近接して位置し、上昇した温度状態に反応する感熱要素を有する火災スプリンクラーヘッドと、
前記導管内に位置して前記バルブ及び前記感熱要素に動作可能に結合されていて、少なくとも非係合状態と係合状態とを有する無付勢の結束線と、
前記導管の内部に置かれて前記結束線をその長さの大半に渡って囲むシース部材と、
を備えており、
(i)前記結束線が前記非係合状態では前記スプリンクラーヘッドに向かって付勢されておらず、(ii)前記感熱要素の上昇した温度状態に対する反応が前記結束線を前記非係合状態から前記係合状態へ変化させ、(iii)前記結束線を前記非係合状態から前記係合状態へ変化させることが前記バルブを前記閉状態から前記開状態へ変化させる、ドライスプリンクラー。
【請求項２】
前記無付勢結束線に結合された係合作動部をさらに備えており、前記係合作動部は前記感熱要素が前記上昇した温度状態に反応するとトリガされて、前記係合作動部が前記結束線を前記非係合状態から前記係合状態へ変化させて、それによって前記バルブを前記閉状態から前記開状態へ変化させ、
前記係合作動部は、前記係合作動部がトリガされると、前記無付勢結束線に張力を印加するように構成されている、請求項１に記載のドライスプリンクラー。
【請求項３】
前記係合作動部は、前記感熱要素が前記上昇した温度状態に反応すると開放可能になるエネルギーを貯えるように構成されており、且つ、前記係合作動部は、前記貯えられたエネルギーが開放されると前記無付勢結束線に負荷を印加するように構成されている、請求項２に記載のドライスプリンクラー。
【請求項４】
前記結束線に結合されたバルブキャッチをさらに備えており、
前記バルブキャッチが、前記バルブを前記閉状態に付勢する付勢部材と、前記結束線が前記非係合状態から前記係合状態へ変化すると前記結束線に印加された負荷を移動させて前記付勢部材によって印加された付勢を開放し、それによって前記バルブが前記開状態へ動くことを許容する開放部材と、を含む、請求項１に記載のドライスプリンクラー。
【請求項５】
前記結束線が、コード、ロープ、紐、ループ、鎖、鎖状の部材、ケーブル、リボン、チューブ、ワイヤ、単芯線、及び多芯線のいずれかを備える、請求項１に記載のドライスプリンクラー。
【請求項６】
前記結束線の第１の部分が、前記結束線が前記非係合状態から前記係合状態へ変化すると前記バルブが前記閉状態から前記開状態へ動くことを許容するように構成されたバルブキャッチに接続され、前記結束線の第２の部分が、前記感熱要素が前記上昇した温度状態に反応すると前記結束線に負荷を印加するように構成された係合作動部に接続されている、請求項５に記載のドライスプリンクラー。
【請求項７】
前記バルブキャッチから前記係合作動部まで延在している前記結束線の自由長が前記バルブキャッチから前記係合作動部まで延在している前記導管の部分よりも長くなるように、前記結束線に緩みが与えられている、請求項６に記載のドライスプリンクラー。
【請求項８】
前記係合作動部が、
ａ）前記第２の端に近接して前記流体導管の内部に配置された管状ブッシング部材と、
ｂ）前記結束線に結合されて、前記結束線が前記非係合状態にあるときには前記管状ブッシング部材によって支持される結束線結合部材と、
を備えており、
前記非係合状態では、前記結束線が緩みを有しており、前記感熱要素の前記上昇した温度状態への反応が前記管状ブッシング部材及び前記結束線結合部材を前記導管の内部で前記火災スプリンクラーヘッドに向かって動かし、これが前記結束線から緩みを取り除いて、前記結束線を前記非係合状態から前記係合状態に変化させる、請求項２に記載のドライスプリンクラー。
【請求項９】
前記結束線結合部材が前記管状ブッシング部材に直接的に接続されたピンである、請求項８に記載のドライスプリンクラー。
【請求項１０】
前記係合作動部が前記管状ブッシング部材を前記火災スプリンクラーヘッドに向かって付勢する圧縮ばねをさらに備える、請求項８に記載のドライスプリンクラー。
【請求項１１】
前記導管がフレキシブルである、請求項１に記載のドライスプリンクラー。
【請求項１２】
流体サプライに結合するように構成され、流体流入口である第１の端と流体流出口である第２の端とを有するフレキシブル導管と、
前記第１の端に近接して位置するバルブであって、流体が前記流体サプライから前記導管を通って流れることが妨げられる閉位置に押し付けられて且つ流体が前記流体サプライから前記導管を通って流れる開位置に移動可能なシール部材を有する、前記バルブと、
前記導管の前記第２の端に近接して位置し、上昇した温度状態に反応するように構成された感熱要素を有する火災スプリンクラーヘッドと、
前記フレキシブル導管内に位置して、前記スプリンクラーヘッドに向かって付勢されていない状態で前記フレキシブル導管内に存在する無付勢の結束線であって、前記結束線が第１の部分と第２の部分とを有し、前記結束線の前記第１の部分が前記シール部材に動作可能に結合して、前記結束線が係合されるとそれを前記開位置に押し付ける、前記結束線と、
前記導管の内部に置かれて前記結束線をその長さの大半に渡って囲むシース部材と、
前記結束線の前記第２の部分に接続された係合作動部であって、前記係合作動部は前記感熱要素に動作可能に結合されて、前記感熱要素が前記上昇した温度状態に反応すると前記係合作動部がトリガされて前記結束線に張力を印加し、それによって前記結束線に前記シール部材を前記開位置まで移動させる、係合作動部と、
を備える、ドライスプリンクラー。
【請求項１３】
前記フレキシブル導管が、波状チューブ、ホース、編みチューブのいずれか一つを備える、請求項１２に記載のドライスプリンクラー。
【請求項１４】
前記フレキシブル導管が、曲げられると曲がった形状を維持する、請求項１２に記載のドライスプリンクラー。
【請求項１５】
前記結束線が、コード、ロープ、紐、ループ、鎖、鎖状の部材、ケーブル、リボン、チューブ、ワイヤ、単芯線、及び多芯線のいずれかを備える、請求項１２に記載のドライスプリンクラー。
【請求項１６】
火災の際に流体サプライから流体を放出するようにドライスプリンクラーをトリガする方法であって、
前記ドライスプリンクラーが、
(i)前記流体サプライに結合された流体導管と、
(ii)前記導管の第１の端に近接して位置し、流体が前記流体サプライから前記導管を通って流れることを妨げる閉状態に押さえつけられているバルブと、
(iii)前記導管の第２の端に近接して位置し、上昇した温度状態に反応する感熱要素を含む火災スプリンクラーヘッドと、
(iv) 係合されると前記バルブが開くことを許容するように前記バルブに動作可能に結合された無張力の結束線と、
(v)前記導管の内部に置かれて前記結束線をその長さの大半に渡って囲むシース部材と、
を備えており、
前記方法が、
前記感熱要素が前記上昇した温度状態に反応すると前記結束線を係合するステップと、
少なくとも前記バルブが開くまで前記結束線に張力を印加して、前記流体サプライからの流体が前記導管を通って流れることを許容するステップと、
を含む、方法。
【請求項１７】
前記結束線は前記導管の内部に配置されて且つ緩みが与えられており、前記結束線を係合するステップが前記結束線の前記緩みを除去するステップを含む、請求項１６に記載の方法。
【請求項１８】
流体サプライに結合するように構成され、第１の端及び第２の端を有する流体導管と、
前記導管の前記第１の端に近接して位置し、 (i)流体が前記流体サプライから前記導管を通って流れることを妨げる閉状態と、(ii)流体が前記流体サプライから前記導管を通って流れることを許容する開状態と、を有するバルブと、
前記導管の前記第２の端に近接して位置し、上昇した温度状態に反応する感熱要素を有する火災スプリンクラーヘッドと、
前記導管内に位置して前記バルブ及び前記感熱要素に動作可能に結合されていて、少なくとも非係合状態と係合状態とを有する無付勢の結束線と、
を備えており、
前記結束線の第１の部分が、前記結束線が前記非係合状態から前記係合状態へ変化すると前記バルブが前記閉状態から前記開状態へ動くことを許容するように構成されたバルブキャッチに接続され、前記結束線の第２の部分が、前記感熱要素が前記上昇した温度状態に反応すると前記結束線に負荷を印加するように構成された係合作動部に接続されており、
前記バルブキャッチから前記係合作動部まで延在している前記結束線の自由長が前記バルブキャッチから前記係合作動部まで延在している前記導管の部分よりも長くなるように、前記結束線に緩みが与えられており、
(i)前記結束線が前記非係合状態では前記スプリンクラーヘッドに向かって付勢されておらず、緩みが与えられており、(ii)前記感熱要素の上昇した温度状態に対する反応が前記結束線を前記非係合状態から前記係合状態へ変化させ、(iii)前記結束線を前記非係合状態から前記係合状態へ変化させて前記結束線の緩みを除去することで前記バルブを前記閉状態から前記開状態へ変化させる、ドライスプリンクラー。
【請求項１９】
流体サプライに結合するように構成され、流体流入口である第１の端と流体流出口である第２の端とを有するフレキシブル導管と、
前記第１の端に近接して位置するバルブであって、流体が前記流体サプライから前記導管を通って流れることが妨げられる閉位置に押し付けられて且つ流体が前記流体サプライから前記導管を通って流れる開位置に移動可能なシール部材を有する、前記バルブと、
前記導管の前記第２の端に近接して位置し、上昇した温度状態に反応するように構成された感熱要素を有する火災スプリンクラーヘッドと、
前記フレキシブル導管内に位置して、前記スプリンクラーヘッドに向かって付勢されていない状態で前記フレキシブル導管内に存在し、且つ、緩みが与えられている無付勢の結束線であって、前記結束線が第１の部分と第２の部分とを有し、前記結束線の前記第１の部分が前記シール部材に動作可能に結合して、前記結束線が係合されるとそれを前記開位置に押し付ける、前記結束線と、
前記結束線の前記第２の部分に接続された係合作動部であって、前記係合作動部は前記感熱要素に動作可能に結合されて、前記感熱要素が前記上昇した温度状態に反応すると前記係合作動部がトリガされて前記結束線に張力を印加して前記結束線の前記緩みを除去し、それによって前記結束線に前記シール部材を前記開位置まで移動させる、係合作動部と、
を備える、ドライスプリンクラー。
【請求項２０】
火災の際に流体サプライから流体を放出するようにドライスプリンクラーをトリガする方法であって、
前記ドライスプリンクラーが、
(i)前記流体サプライに結合された流体導管と、
(ii)前記導管の第１の端に近接して位置し、流体が前記流体サプライから前記導管を通って流れることを妨げる閉状態に押さえつけられているバルブと、
(iii)前記導管の第２の端に近接して位置し、上昇した温度状態に反応する感熱要素を含む火災スプリンクラーヘッドと、
(iv) 前記流体導管の内部に配置され、且つ、緩みが与えられており、係合されると前記バルブが開くことを許容するように前記バルブに動作可能に結合された無張力の結束線と、
を備えており、
前記方法が、
前記感熱要素が前記上昇した温度状態に反応すると、前記結束線の緩みを除去して前記結束線を係合するステップと、
少なくとも前記バルブが開くまで前記結束線に張力を印加して、前記流体サプライからの流体が前記導管を通って流れることを許容するステップと、
を含む、方法。
【発明の詳細な説明】
【技術分野】
【０００１】
本開示は、ビル及び他の構造体にて火災保護システムで使用されるドライスプリンクラーに関しており、より具体的には、スプリンクラーヘッドとスプリンクラーバルブとの間で延在するフレキシブル導管を有するドライスプリンクラーに関する。ドライスプリンクラーは、水のような火災抑制流体を散布する分岐サプライラインに接続されることができる。
【背景技術】
【０００２】
ドライスプリンクラーは、火災を消すか又は抑制するために火災保護システムで使用される。ドライスプリンクラーは、ビル及び他の構造体に設置された流体散布システムに接続されることができる。流体散布システムは流体サプライ、具体的には水又はその他の火災抑制流体に接続される。ドライスプリンクラーは通常は、スプリンクラーヘッドと、スプリンクラーヘッドを分岐流体サプライライン上のコネクタフィッティングに接続する剛性の非フレキシブルな導管とを含む。導管は、コネクタフィッティング端に位置するバルブを含み、このバルブは通常の状態では閉じたままであり、スプリンクラーが駆動されて火災抑制流体を放出するまで、流体がスプリンクラー導管に入らないようになっている。ドライスプリンクラーは、火災の際に起動されるように設計された感熱要素を備えたスプリンクラーヘッドを有する。
【０００３】
火災スプリンクラーヘッドの感熱要素は、迅速にバルブをトリガして開けて、スプリンクラーを通して流体を放出して火災を消す。トリガ機構として、ドライスプリンクラーは通常は、バルブと火災スプリンクラーヘッドとの間に位置してバルブにかかる流体の力によって火災スプリンクラーヘッドに押し付けられる剛性の非フレキシブルなリンクを利用する。感熱要素が火災に対して反応すると、リンク部材が流体の圧力又は重力によってバルブから押し出されて、これがバルブを開ける。
【発明の概要】
【発明が解決しようとする課題】
【０００４】
ドライスプリンクラーは、屋根裏、バルコニー、屋根付き通路、及び歩行者用通路のような空調されていない（例えば暖房されていない）空間で、特に有用であり得る。なぜなら、ドライスプリンクラーの導管は通常の条件下では流体を含まず、したがって、凍結破損又はその他の損傷のリスクが低いからである。したがって、ウエットスプリンクラーシステムとは対照的に、スプリンクラー内の流体の凍結を防ぐ手段を取る必要が無い。同様の理由から、ドライスプリンクラーは、冷蔵された（凍結を含む）条件下に維持される空間でも、有用である。
【０００５】
ドライスプリンクラーの設置は困難になることがある。スプリンクラーシステムの設置の間、分岐流体サプライラインを有するパイプのネットワークを含む流体散布システムが、最初に設置される。分岐ラインが設置されると、設置者は、所望のスプリンクラーヘッドの位置から分岐ライン上のコネクタフィッティングまでの距離に基づいて、必要とされるドライスプリンクラーの長さを決定する。ドライスプリンクラーは、設置者によって決定された特定の長さ及び配置で発注されて、設置者に納品されるが、これは２週間又はそれ以上に及ぶ建築の遅れを引き起こすことがある。そのような遅れは望ましくなく、建築コストを大きく増加させることがある。あるいは、システムの設計者及び／又は仕様が、スプリンクラーの長さを指示し得る。しかし、そのような状況下であっても、現場で調整が行われなければならず、これは望まれない遅れを引き起こし得る。
【０００６】
また、ひとたび分岐ラインのパイプが設置されると、スプリンクラーヘッドの位置を動かすことは難しい。同様に、ある場合には、スプリンクラーヘッドの位置は、分岐ラインパイプが設置されることができる場所に基づいて、建築作業によって限定され得る。
【課題を解決するための手段】
【０００７】
ある局面によれば、流体サプライに結合するように構成された流体導管と、導管の第１の端に近接して位置し、流体が流体サプライから導管を通って流れることを妨げる閉状態と、流体が流体サプライから導管を通って流れることを許容する開状態と、を有するバルブと、導管の第２の端に近接して位置し、上昇した温度状態に反応する感熱要素を有する火災スプリンクラーヘッドと、導管内に位置してバルブに動作可能に結合されていて、少なくとも非係合状態と係合状態とを有する無付勢結束線と、を備えたドライスプリンクラーが提供される。無付勢結束線は、非係合状態ではスプリンクラーヘッドに向かって付勢されておらず、感熱要素の上昇した温度状態に対する反応が結束線を非係合状態から係合状態へ変化させ、結束線を非係合状態から係合状態へ変化させることがバルブを閉状態から開状態へ変化させる。
【０００８】
他の局面によれば、流体サプライに結合するように構成されたフレキシブル導管と、導管の第１の端に近接して位置するバルブであって、流体サプライからの流体が導管を通って流れることが妨げられる閉位置に押し付けられて且つ流体サプライからの流体が導管を通って流れる開位置に移動可能なシール部材を有する、バルブと、導管の第２の端に近接して位置し、上昇した温度状態に反応するように構成された感熱要素を有する火災スプリンクラーヘッドと、フレキシブル導管内に位置して、スプリンクラーヘッドに向かって付勢されていない状態でフレキシブル導管内に存在する無付勢結束線であって、無付勢結束線の第１の部分がシール部材に動作可能に結合して、無付勢結束線が係合されるとそれを開位置に押し付ける、無付勢結束線と、無付勢結束線の第２の部分に接続された係合作動部であって、係合作動部は感熱要素に動作可能に結合されて、感熱要素が上昇した温度状態に反応すると係合作動部がトリガされて無付勢結束線に張力を印加し、それによって結束線にシール部材を開位置まで移動させる、係合作動部と、を備えるドライスプリンクラーが提供される。
【０００９】
他の局面によれば、流体サプライラインに結合するように構成されたフレキシブル導管と、導管の第１の端に近接して位置するバルブであって、流体サプライからの流体が導管を通って流れることが妨げられる閉状態と、流体サプライからの流体が導管を通って流れることが許容される開状態と、を有する、バルブと、無付勢結束線であって、無付勢結束線が係合しているときにはバルブを開けるようにバルブに動作可能に結合された第１の部分を有し、導管の第２の端に向かって付勢されていない状態で存在する、無付勢結束線と、導管の内部に置かれて無付勢結束線をその長さの大半に渡って囲むシース部材と、導管の第２の端に近接して位置し、上昇した温度状態に反応する感熱要素を有する火災スプリンクラーヘッドと、を備えるドライスプリンクラーが提供される。無付勢結束線は、感熱要素の上昇した温度状態への反応が結束線を係合させるように、感熱要素に動作可能に結合されている。
【００１０】
他の局面によれば、フレキシブル導管と、フレキシブル導管の第１の端に近接して位置するバルブと、フレキシブル導管の第２の端に近接して位置する火災スプリンクラーヘッドと、無付勢結束線であって、フレキシブル導管の内部に位置し、無付勢結束線が火災スプリンクラーヘッドに向かって付勢されない状態にあり、第１の部分がバルブに、結束線への張力印加でバルブが開位置に動くことを許容するように動作可能に結合されている、無付勢結束線と、無付勢結束線に張力を印加する張力印加手段と、を備えるドライスプリンクラーが提供される。
【００１１】
他の局面によれば、流体サプライに接続されたパイプのネットワークと、パイプのネットワーク及び流体サプライと流体連通していて、流体サプライとパイプのネットワークとの間の流体の流れを制御するように構成された、制御バルブと、パイプのネットワークに流体的に接続された少なくとも一つのドライスプリンクラーと、を備えた火災保護スプリンクラーシステムが提供され、ドライスプリンクラーが、導管と、導管の流体流出口に近接して位置し、上昇した温度状態に反応する感熱要素を有する火災スプリンクラーヘッドと、流体流入口に近接して位置し、導管を通った流体の流れを妨げる閉状態と導管を通った流体の流れを許容する開状態とを有する、スプリンクラーバルブと、火災スプリンクラーヘッドに向かって付勢されていない状態で導管内に存在する無付勢結束線であって、無付勢結束線の第１の部分は、無付勢結束線が係合されるとバルブが開位置に動くことを許容するように前記スプリンクラーバルブに動作可能に結合される、無付勢結束線と、無付勢結束線の第２の部分に結合された係合作動部と、を備えていて、感熱要素の上昇した温度状態への反応が係合作動部に無付勢結束線へ張力を印加させる。
【００１２】
他の局面によれば、流体サプライラインに結合するように構成されたフレキシブル導管と、導管の第１の端に近接して位置するバルブであって、流体サプライからの流体が導管を通って流れることが妨げられる閉状態と、流体サプライからの流体が導管を通って流れることが許容される開状態と、を有する、バルブと、無付勢結束線であって、無付勢結束線が係合しているときにはバルブが開くことを許容するようにバルブに動作可能に結合された第１の部分を有し、導管の第２の端に向かって付勢されていない状態で存在する、無付勢結束線と、導管の第２の端に近接して位置し、上昇した温度状態に反応する感熱要素を有する火災スプリンクラーヘッドと、を備えたドライスプリンクラーが提供される。無付勢結束線は、感熱要素の上昇した温度状態への反応が結束線を係合させるように、感熱要素に動作可能に結合されている。
【００１３】
他の局面によれば、流体サプライラインに結合するように構成されたフレキシブル導管と、導管の第１の端に近接して位置するバルブであって、流体サプライからの流体が導管を通って流れることが妨げられる閉状態と、流体サプライからの流体が導管を通って流れることが許容される開状態と、を有する、バルブと、無圧縮結束線であって、無圧縮結束線が係合しているときにはバルブが開くことを許容するようにバルブに動作可能に結合された第１の部分を有し、圧縮力がない状態で存在する、無圧縮結束線と、導管の第２の端に近接して位置し、上昇した温度状態に反応する感熱要素を有する火災スプリンクラーヘッドと、を備えており、無圧縮結束線が感熱要素に動作可能に結合されているドライスプリンクラーが提供される。
【００１４】
他の局面によれば、流体サプライラインに結合するように構成されたフレキシブル導管と、導管の第１の端に近接して位置するバルブであって、流体サプライからの流体が導管を通って流れることが妨げられる閉状態と、流体サプライからの流体が導管を通って流れることが許容される開状態と、を有する、バルブと、実質的に非剛性の結束線であって、非剛性結束線が係合しているときにはバルブが開くことを許容するようにバルブに動作可能に結合された第１の部分を有する、実質的に非剛性の結束線と、導管の第２の端に近接して位置し、上昇した温度状態に反応する感熱要素を有する火災スプリンクラーヘッドと、を備えており、非剛性結束線が感熱要素に動作可能に結合されているドライスプリンクラーが提供される。
【００１５】
さらに他の局面によれば、火災の際に流体サプライから流体を放出するようにドライスプリンクラーをトリガする方法が提供され、このドライスプリンクラーが、(i)流体サプライに結合された流体導管と、(ii)導管の第１の端に近接して位置し、流体が流体サプライから導管を通って流れることを妨げる閉状態に押さえつけられているバルブと、(iii)導管の第２の端に近接して位置し、上昇した温度状態に反応する感熱要素を有する火災スプリンクラーヘッドと、(iv) 係合されるとバルブが開くことを許容するようにバルブに動作可能に結合された無張力結束線と、を備えており、この方法が、感熱要素が上昇した温度状態に反応すると、前記結束線を係合するステップと、少なくともバルブが開くまで結束線に張力を印加して、流体サプライからの流体が導管を通って流れることを許容するステップと、を含む。
【００１６】
さらに他の局面によれば、分岐流体ライン上にフレキシブルドライスプリンクラーを設置する方法が提供される。この方法は、(i)フレキシブルドライスプリンクラーを提供するステップであって、フレキシブルドライスプリンクラーが、フレキシブル導管と、フレキシブル導管の流入口端に近接して位置し、導管を通った流体サプライからの流体の流れを妨げる閉状態と導管を通った流体サプライからの流体の流れを許容する開状態とを有する、バルブと、導管の流出口端に近接して位置し、上昇した温度状態に反応する感熱要素を有する火災スプリンクラーヘッドと、フレキシブル導管の内部に位置した結束線であって、第１の部分と第２の部分とを有し、第１の部分は、結束線が係合されるとバルブを開位置に押し付けるようにバルブに動作可能に接続されており、第２の部分は、感熱要素が上昇した温度状態に反応すると結束線を係合するように感熱要素に動作可能に接続されている、結束線と、を有するステップと、(ii)フレキシブルドライスプリンクラーを分岐流体ラインに接続するステップと、(iii)フレキシブル導管を曲げて火災スプリンクラーヘッドを位置させるステップと、(iv)フレキシブルドライスプリンクラーをブラケットで固定位置に固定するステップと、を含む。フレキシブルドライスプリンクラーは、結束線を係合することなく且つバルブを開けることなく、ブラケットで分岐ラインに設置される。
【図面の簡単な説明】
【００１７】
例示的な実施形態が、添付の図面を参照して以下に詳細に記述される。
【図１】火災保護スプリンクラーシステムを描く模式図である。
【図２Ａ】ある実施形態に従ったフレキシブルドライスプリンクラーの断面模式図である。
【図２Ｂ】ある実施形態に従ったフレキシブルドライスプリンクラーの断面模式図である。
【図２Ｃ】ある実施形態に従ったフレキシブルドライスプリンクラーの断面模式図である。
【図３】ある実施形態に従った剛性の非フレキシブルドライスプリンクラーの断面模式図である。
【図４】ある実施形態に従ったフレキシブルドライスプリンクラーの斜視図である。
【図５】図４に示されたフレキシブルドライスプリンクラーの第２の端部分（流体流出口）の拡大図である。
【図６Ａ】図５に示された第２の端部分の断面図であって、通常の状態におけるドライスプリンクラー描いた図である。
【図６Ｂ】図５に示された第２の端部分の断面図であって、感熱要素が上昇した温度状態に反応した後の状態におけるドライスプリンクラー（図６Ｂ）を描いた図である。
【図７Ａ】通常の状態におけるフレキシブルドライスプリンクラーの他の実施形態を示す断面図である。
【図７Ｂ】感熱要素が上昇した温度状態に反応した後の状態におけるそのフレキシブルドライスプリンクラーを示す断面図である。
【図８Ａ】通常の状態におけるフレキシブルドライスプリンクラーの他の実施形態の第２の端を示す断面図である。
【図８Ｂ】感熱要素が上昇した温度状態に反応した後の状態におけるそのフレキシブルドライスプリンクラーの第２の端を示す断面図である。
【図９Ａ】通常の状態におけるフレキシブルドライスプリンクラーの他の実施形態の第２の端を示す断面図である。
【図９Ｂ】感熱要素が上昇した温度状態に反応した後の状態におけるそのフレキシブルドライスプリンクラーの第２の端を示す断面図である。
【図１０Ａ】通常の状態におけるフレキシブルドライスプリンクラーの他の実施形態の第２の端を示す断面図である。
【図１０Ｂ】感熱要素が上昇した温度状態に反応した後の状態におけるそのフレキシブルドライスプリンクラーの第２の端を示す断面図である。
【図１１Ａ】ドライスプリンクラーの他の実施形態の第１の端区間（バルブ及びバルブキャッチ部分）を示す分解断面図である。
【図１１Ｂ】通常の状態におけるそのドライスプリンクラーの第１の端区間を示す部分断面図である。
【図１１Ｃ】上昇した温度状態に反応して結束線が係合されたときのドライスプリンクラーの第１の端区間を示す部分断面図である。
【図１２Ａ】通常の状態におけるフレキシブルドライスプリンクラーの他の実施形態の第１の端区間を描いた部分断面図である。
【図１２Ｂ】上昇した温度状態に反応して結束線が係合されたときのドライスプリンクラーの第１の端区間を示す部分断面図である。
【図１３Ａ】通常の状態におけるフレキシブルドライスプリンクラーの他の実施形態の第１の端区間を描いた部分断面図である。
【図１３Ｂ】上昇した温度状態に反応して結束線が係合されたときのドライスプリンクラーの第１の端区間を示す部分断面図である。
【図１４Ａ】通常の状態におけるフレキシブルドライスプリンクラーの他の実施形態の第１の端区間を描いた断面図である。
【図１４Ｂ】上昇した温度状態に反応して結束線が係合されたときのドライスプリンクラーの第１の端区間を示す断面図である。
【図１５Ａ】通常の状態におけるフレキシブルドライスプリンクラーの他の実施形態の第１の端区間を描いた部分断面図である。
【図１５Ｂ】上昇した温度状態に反応して結束線が係合されたときのドライスプリンクラーの第１の端区間を示す部分断面図である。
【図１６Ａ】結束線シースを有するフレキシブルドライスプリンクラーを描いた断面図である。
【図１６Ｂ】結束線シースを有するフレキシブルドライスプリンクラーを描いた断面図である。
【図１６Ｃ】結束線シースを有するフレキシブルドライスプリンクラーを描いた断面図である。
【発明を実施するための形態】
【００１８】
本開示によって提供されるドライスプリンクラーは、建物又はその他の構造物に設置された火災保護スプリンクラーシステムと共に使用されることができる。図１は、構造物１２に搭載された火災保護スプリンクラーシステム１０の例示的な実施形態の模式的な描写である。この火災保護スプリンクラーシステム１０は、火災抑制流体のサプライに接続された流体サプライライン１４を含む。流体サプライは、自治体によって提供される水サプライのような水源、あるいは、水以外の火災抑制流体（例えば火災抑制泡、粉末、又は同様の火災抑制剤のための流体）を含む容器であることができる。
【００１９】
流体サプライライン１４は、パイプのネットワーク１８への流体の供給を制御する制御バルブ１６に接続している。制御バルブ１６は主流体サプライライン１７と流体連通しており、この主ラインは、火災抑制流体を主ライン１７から延在している複数の分岐ライン１９に供給する。分岐ライン１９の各々は、火災抑制流体を複数のドライスプリンクラー１５に供給する。火災の場合（又は他の同様な温度上昇の場合）には、ドライスプリンクラー１５は、構造物１２の内部の火災抑制流体を散布して火災を消すか又は抑制するように構成されている。
【００２０】
図１はドライスプリンクラー１５を垂下した位置に描いているが、スプリンクラーは、直立、垂下、又は側壁位置を含む任意の位置に構成されることができる。
【００２１】
図２Ａ〜２Ｃは，フレキシブルドライスプリンクラー２５０を描いた模式図である。このドライスプリンクラー２５０は分岐ライン２７２に接続されている。ドライスプリンクラー２５０は、第１の端部分２２５及び第２の端部分２３５を有する導管２１０を含む。コネクタ２７５が第１の端部分２２５を分岐ライン２７２に流体的に接続する。例えば、コネクタ２７５はねじ付きの開口を含むことができて、ドライスプリンクラー２５０の第１の端部分２２５の対応するねじを受ける。
【００２２】
ドライスプリンクラー２５０の分岐ライン２７２への接続は、分岐ラインコネクタ２７５の中心に、導管２１０の曲げられていない形状（例えば図２Ａを参照）での長さに沿って、接続軸Ｙを形成する。導管２１０は、ＤLENとラベルされた長さを有する。
【００２３】
ドライスプリンクラー２５０は、導管２１０の第１の端２２５に近接して位置するバルブ（図２Ａ〜２Ｃには描かれていない）を含むことができる。以下においてより詳細に論じられるように、このバルブは、流体が分岐ライン２７２から導管２１０を通って流れることを許容する開状態と、流体が分岐ライン２７２から導管２１０を通って流れることを妨げる閉状態と、を有する。このバルブは時おり、例えば主制御バルブと区別するために「スプリンクラーバルブ」と称される。
【００２４】
火災スプリンクラーヘッド２４０は、ドライスプリンクラー２５０の第２の端部分２３５に結合される。火災スプリンクラーヘッドは、火災の場合に、上昇した温度状態に反応してバルブを開くことをトリガするように構成されている。火災スプリンクラーヘッド２４０は任意の適切な方法で、例えば、スプリンクラーヘッドのねじ付きの端を導管のねじ付きの端に接続することによって、又は、スプリンクラーヘッドを導管の第２の端に機械的に結合することによって、導管に結合されることができる。
【００２５】
ドライスプリンクラー２５０は結束線２２０を含み、これは、本実施形態では導管２１０内部に位置している。結束線２２０は一般的に、導管の第１の端部分２２５から導管の第２の端部分２３５まで延在して、火災スプリンクラーヘッドが上昇した温度状態に反応した後にバルブを開けるように、バルブを動作可能に接続する。
【００２６】
結束線２２０は、非係合状態及び係合状態を有する。図２Ａ〜２Ｃは非係合状態の結束線２２０を描いており、これは、バルブが閉じているときに結束線２２０がある状態である。以下に論じられるように、火災の場合には、火災スプリンクラーヘッド２４０の感熱要素２４２が反応して、結束線２２０に負荷を印加することによって結束線２２０を係合する係合装置（「係合作動部」とも称される）をトリガする。負荷は、バルブキャッチによって結束線２２０に印加される。バルブキャッチは、バルブが開状態に動くことを許容する。結束線２２０はこれにより、結束線はバルブに動作可能に結合されるがバルブは閉じたままである「非係合状態」と、例えば負荷が結束線に印加されたときにバルブを開けるように動作する「係合状態」と、を有する。結束線が係合されるとバルブは開き、結束線が係合され続けている間は開状態を維持することができる。あるいは、バルブは、結束線が非係合状態に戻っても、その後は開状態を維持することができる。
【００２７】
結束線２２０は、以下の一つ又はそれ以上によって特徴付けられる。
（ａ）非係合状態では、結束線は、スプリンクラーヘッド及び／又はバルブに向かって付勢されないように無付勢である（もちろん重力によるそれ自身の重量による付勢は除く）。「無付勢」という用語は、結束線をスプリンクラーヘッド及び／又はバルブに向かって押し付ける力が結束線に印加されない構成を示す。これより、例えば、バルブにかかる流体圧は、結束線をスプリンクラーヘッド及び／又はバルブに向かって押し付ける力を結束線に印加せず、且つ同様に、結束線をスプリンクラーヘッド及び／又はバルブに向かって押し付ける機械的な装置は存在しない。
（ｂ）非係合状態では、結束線には圧縮力は作用しない（同様に重力による力は除く）。例えば、結束線は、バルブ上に作用する流体圧によってドライスプリンクラーの一部に対して押されない。
（ｃ）非係合状態では結束線には張力は作用せず、係合状態では結束線には張力がかかっている。
（ｄ）非係合状態では、結束線は実質的に剛性を有さない。
（ｅ）結束線はそれ自身の重量を支えることはできず、且つ曲げ応力を支持することはできない。
（ｆ）結束線は、結束線の断面積よりも小さな半径の周りに完全に曲げられることができる。
（ｇ）結束線はフレキシブルである。
（ｈ）結束線は、係合状態では実質的に伸びないように、比較的に非弾性的である（例えば、結束線は、100MPa〜150GPa、1GPa〜50GPa、及び2GPa〜10GPaの弾性係数を有することができる）。
【００２８】
例として、結束線２２０は、コード、ロープ、紐、ループ、鎖、結束線が係合されると鎖のリンク部が接続する鎖状の部材、ケーブル、リボン、チューブ、ワイヤ、単芯線、及び多芯線を含むことができる。描かれている実施形態では、結束線２２０は完全に導管の内部に位置している。しかし、いくつかの構成では、結束線２２０の一部のみが導管の内部に位置するか、あるいは、結束線２２０の全体が導管の外又は導管の側壁に位置することができる。
【００２９】
結束線２２０の第1の部分はバルブキャッチに接続されることができて、結束線２２０の第２の部分は係合作動部に接続されることができる。結束線２２０はこれより、バルブキャッチから係合作動部まで延在することができて、典型的には、導管２１０の長さの少なくとも４０パーセント、導管２１０の長さの少なくとも６０パーセント、又は、導管２１０の長さの少なくとも９０パーセントに沿って、延在する。結束線は典型的には、導管２１０の中間点を越えて位置される。結束線２２０のサイズ及び断面寸法は、結束線が所望の反応時間内にバルブを開けるように動作可能である限りは、特に重要ではない。
【００３０】
図２Ｂ及び２Ｃに示されるように、ドライスプリンクラー２５０の導管２１０はフレキシブルであることができる。フレキシブル導管を設けることは、顕著な効果を有することができる。例えば、剛性の非フレキシブルなドライスプリンクラーでは、火災スプリンクラーヘッドの位置は、ドライスプリンクラーの長さ及び形状、ならびにコネクタ２７５の配置及び位置に基づいて定められるが、フレキシブルなドライスプリンクラーでは、火災スプリンクラーヘッドの位置は動かすことができるか、又はコネクタ２７５に対して様々な方向を向くことができ、導管の長さ及び柔軟性によってのみ制限される。フレキシブルドライスプリンクラーを使用することはまた、パイプのネットワークが設置された後であっても火災スプリンクラーヘッドの位置を変えることができるので、効果的である。この点に関して、剛性の非フレキシブルなドライスプリンクラーでは、パイプのネットワークが構造物に設置され、スプリンクラーヘッドの所望の位置が決定され、ドライスプリンクラーは、火災スプリンクラーヘッドが所望の位置に又はその近くに位置されるように選択される。これは、ドライスプリンクラーが発注され、製造され、且つ配達されるために掛かる時間に基づいて、いくらかの建築上の遅延を生じさせることがある。また、ドライスプリンクラーは典型的には受注生産である。対照的に、フレキシブルドライスプリンクラーを使用することによって、設置者又は建物の契約者は、離散的な長さのスプリンクラーを手元に保管することができ、且つ必要とされるようにスプリンクラーヘッドの位置及び角度を調整することができる。これは、建築上の遅延を低減する。また、ドライスプリンクラーの製造業者は、予期される必要に基づいて離散的な寸法のスプリンクラーを製造及び供給することができる。
【００３１】
フレキシブル導管２１０は、上述された特徴の一つ又はそれ以上を有する結束線２２０と共に使用されることができ、結束線２２０は、結束線２２０が設置中に誤って係合されないように導管２２０と共に構成されることができる。この点に関して、結束線２２０は、火災スプリンクラーヘッドが誤って結束線２２０に係合されてバルブを開けることなく、所望の位置に置かれて固定されることができる。
【００３２】
図２Ｂ及び２Ｃに示されるように、フレキシブル導管２１０の第２の端は、導管２１０の第１の端に対して距離ＤLATだけ横方向に変位されることができる。横方向変位の距離は、導管の長さ（ＤLEN）の割合又はパーセンテージとして特徴付けられることができる。フレキシブル導管２１０はそれゆえ、導管２１０の第２の端が導管の第１の端に対して横方向に、導管２１０の長さの少なくとも５パーセント、導管２１０の長さの少なくとも１０パーセント、導管２１０の長さの少なくとも３０パーセント、導管２１０の長さの３０〜９５パーセント、又は導管２１０の長さの５０〜９０パーセントに対応する距離に変位されることができると特徴付けられることができる。
【００３３】
図２Ｂ及び２Ｃにまた示されるように、導管の柔軟性はさらに、ＤLENを、スプリンクラーが曲げられた状態にあるときの導管の２つの端の間の垂直距離（ＤVERT）と比較することによって、さらに特徴付けられることができる。フレキシブル導管は、導管が、ＤVERTがＤLENの７５パーセント又はそれ以上、ＤLENの５０パーセント又はそれ以上、あるいはＤLENの１０パーセント又はそれ以上に対応するように曲げられることができると、特徴付けられることができる。
【００３４】
図２Ｃに示されるように、角度αは、スプリンクラーヘッドの所望の位置及び方向を達成するために導管２１０が曲げられることができる角度である。この点に関して、火災スプリンクラーヘッドは、火災抑制流体が任意の所望の角度でドライスプリンクラー２５０を出るように、配置されて固定されることができる。例えば、直線状の非フレキシブルスプリンクラーは接続軸Ｙに対して角度１８０°で固定されるが、フレキシブルドライスプリンクラーは、スプリンクラーヘッドの軸Ｘが接続軸Ｙに対して２０°〜１６０°、４５°〜１３５°、及び７５°〜１０５°の角度（α）で変位されることができる。
【００３５】
結束線２２０は、(i)結束線２２０が、結束線がドライスプリンクラーに取り付けられている点の間を延在している導管２１０の長さよりも大きい自由長を有するか、(ii)火災スプリンクラーヘッドが導管の第１の端に対して、バルブを開ける負荷が結束線２２０に印加されることなく最大距離及び角度の組合せ（例えば上記で論じられたＤLANの距離及び角度α）だけ横方向に変位されることができるように、十分な緩みを持って、導管２１０に又はそれに沿って、設けられる。結束線２２０におけるその緩みの存在は、スプリンクラーが輸送、設置、又は使用されているときにバルブが誤って開くリスクを最小限にする。
【００３６】
フレキシブル導管２１０は、金属、ゴムなどを含む既知の材料から形成されることができるフレキシブルな部分、例えば波状チューブ、ホース、又は編みチューブを含むことができる。フレキシブル導管２１０は、一つ又はそれ以上のフレキシブルな部分を、導管長（ＤLEN）の少なくとも２０パーセントに沿って、導管長の少なくとも４０パーセントに沿って、導管長の少なくとも６０パーセントに沿って、導管長の少なくとも８０パーセントに沿って、導管長の５０〜９５パーセント、あるいはその全長に沿って、含むことができる。フレキシブル導管２１０は、所望の位置に曲げられたときにその曲げられた形状を維持してオリジナルの位置に戻らないように、低弾性を有することができる。
【００３７】
いくつかの実施形態では、フレキシブル導管２１０は、第１の端２２５（流体流入口端）に近接して非フレキシブルな部分を含むことができ、これがバルブを囲んで、導管を分岐ライン２７２に接続することを可能にする。フレキシブル導管２１０はまた、導管の第２の端２３５（流体流出口端）に近接して非フレキシブルな部分を含むこともでき、これは、火災スプリンクラーヘッドが導管に接続されることを可能にする。第２の端２３５に近い非フレキシブルな部分はまた、少なくとも一つの平坦表面を有し、ブラケットをその平坦表面に取り付けることによって導管の第２の端が所定の位置に固定されることができるように形成されたリデューサを含むこともできる。ブラケットの他端は、固定構造に取り付けられることができる。導管のブラケット及び非フレキシブル部分は、スプリンクラーヘッドが固定されて且つねじり力に抵抗するように、形成されることができる。一般に、筋交い（bracing）を有するスプリンクラーシステムの設置は、この分野で使用される適用可能な規則及びガイドラインに従うべきである。
【００３８】
ドライスプリンクラーは、例えば１フィート、２フィート、４フィート、６フィート、又はそれらの間の任意の長さの離散的な長さを有することができる。
【００３９】
いくつかの実施形態では、ドライスプリンクラーは剛性で且つ非フレキシブルである。図３は、剛性で非フレキシブルな導管３１０を含む非フレキシブルドライスプリンクラー３５０の実施形態を描いている。非フレキシブルドライスプリンクラーは、それ以外の点では図２に関して記述された実施形態と同じであり、同様の部分は対応する番号で識別されている。例えば、剛性で非フレキシブルなドライスプリンクラー３５０もまた無付勢結束線３２０を含んでおり、これは図３では非係合状態に描かれている。結束線３２０は、スプリンクラーヘッド３４０の感熱要素３４２に動作可能に結合されており、感熱要素３４２が上昇した温度状態に反応すると、結束線は係合される。結束線３２０がひとたび係合されると、バルブが開き、火災抑制流体がスプリンクラーから流れ出ることが許容される。
【００４０】
図４〜６Ｂはフレキシブルドライスプリンクラーの実施形態を描いており、スプリンクラーヘッドの動作、及び結束線に係合してバルブを開けさせている係合作動部を描いている。
【００４１】
図４を参照すると、フレキシブルドライスプリンクラー４５０は、金属の波状チューブ４１２でできたフレキシブル部分を含むフレキシブル導管４１０を含む。フレキシブル導管４１０は、第１の端部分４２５及び第２の端部分４３５を有する。第１の端部分４２５はねじ部４２０を有するコネクタ４２８を含み、これがドライスプリンクラー４５０をパイプネットワークの分岐ラインに接続するように構成されている。フレキシブル導管の第２の端部分４３５はレデューサ４３８を有し、これが結束線４２０を係合するための係合作動部４５５を収容する（図６Ａ〜６Ｂ）。火災スプリンクラーヘッド４４０は第２の端部分４３５に結合される。フレキシブル導管のレデューサセグメントは、非フレキシブルであることができる。
【００４２】
図５〜６Ｂを参照すると、火災スプリンクラーヘッド４４０は、レデューサ４３８で導管４１０の第２の端部分４３５に勘合されている。火災スプリンクラーヘッド４４０は、そこを通って延在している開口４４９を規定するボディ４４７と、感熱要素４４２と、開口４４９に位置するピップキャップ４４８及びスペーサ４４１と、ボディ４４７から延在するアーム４４４と、アーム４４４の頂部に設けられてスプリンクラーが起動されると流体の流れを横向き及び下向きに変える偏向器４４６と、を含む。感熱要素４４２は、例えば、所定の温度で破損するガラスバルブ、又は所定の温度で溶ける融点を有する溶融可能要素であることができる。上昇した温度に対するこれらの反応のいずれも、ピップキャップ４４８及びスペーサ４４１の支持を失わせて、偏向器４４６に向かって落下させる。感熱要素は異なる温度状態に反応するように設定されることができて、温度が例えば華氏１３５度、華氏１７５度、華氏２５０度、華氏３２５度、華氏４００度、又はさらに高温に達すると、反応することができる。
【００４３】
この実施形態では、感熱要素４４２、ピップキャップ４４８及びスペーサ４４１は、係合作動部４５５に動作可能に結合されている。管状支持体４７２は、スペーサ４４１によって支持されており、これが今度はピップキャップ４４８によって支持されている。管状支持体４７２はピン４７０を含み、これはシャフト４５４の移動止め４５９に勘合する。
【００４４】
シャフト４５４はフレキシブル導管４１０に回転可能に搭載されている。そのシャフト４５４は、ハウジング４５２内部のレデューサ４３８の外側に設けられたねじりばね４５６によって一方向に回転可能に付勢される。通常の状態では、ピン４７０は移動止め４５９に勘合して、シャフト４５４が回転することを妨げる。シャフト４５４は、結束線４２０をシャフト４５４に接続する結束線接続４５７を含む。
【００４５】
図６Ａは、結束線４２０が非係合状態にあるときのドライスプリンクラー４５０の断面図であり、図６Ｂは、結束線４２０が係合状態にあるときのドライスプリンクラー４５０の断面図である。図６Ａ〜Ｂに描かれた結束線４２０は、フレキシブルな紐、あるいはロープ、リボン、又はワイヤのような紐状の部材である。その非係合状態では（図６Ａ）、結束線４２０には緩みが与えられて、スプリンクラーヘッドに向かう方向又はバルブに向かう方向に付勢はされていない。以下に詳細に論じられるように、結束線４２０は、フレキシブル導管４１０の第１の端部分４２５（図４）に近接して位置されたバルブキャッチによって、バルブに動作可能に結合されている。バルブキャッチ（その実施形態は図１１Ａ〜１１Ｂに関連して以下で記述される）は、結束線４２０に張力が与えられると、バルブを開状態に移動させるように構成されている。
【００４６】
図６Ｂに示されるように、火災又は他の同様な温度上昇の場合には、感熱要素４４２が上昇した温度状態に反応すると、スペーサ４４１及びサポート４７２は導管４１０に関して外向きに、すなわち偏向器４４６に向かって動く。ピン４７０が移動止め４５９から離脱し、回転可能に付勢されたシャフト４５４が迅速に回転することを許容し、それによって結束線４２０をシャフト４５４の周りに巻きつける。この動作が結束線４２０に負荷を印加して、結束線４２０に張力を印加し、結束線４２０をバルブキャッチに引き付ける。バルブキャッチは、それからバルブを開けて、流体が導管を通ってスプリンクラーヘッドから流れ出す。
【００４７】
結束線４２０を係合してそれに負荷を印加する係合作動部は、開示されている実施形態に特に限定されるものではない。一般に、係合作動部は、機械的エネルギー、ポテンシャルエネルギー、液圧的エネルギー、化学エネルギーなどの形態でエネルギーを貯えることができ、スプリンクラーヘッドの感熱要素の反応によって係合作動部がトリガされると、そのエネルギーを開放して、結束線を係合し負荷を印加する。さらに、係合作動部が結束線に張力を印加するように動作する場合、巻き取り（図４〜６に示された実施形態のように）、引っ張り、又はその他の方法で結束線を変位させて張力を印加することによって、そのようにしてもよい。結束線を係合するために動作可能になり得る付加的な構造は図７〜１０に描かれており、さらにその他の構造は、本分野の当業者によって動作可能であると理解されるであろう。
【００４８】
図７Ａ及び７Ｂは、負荷を結束線７２０に印加する重りを係合作動部が含む実施形態を描いている。先に記述された実施形態と同様に、ドライスプリンクラー７５０は、波状チューブ７１２を有するフレキシブル導管７１０を含む。フレキシブル導管７１０は、火災スプリンクラーヘッド７４０に結合された第２の端部分７３５を含む。結束線７２０は、その通常の状態又は非係合状態で緩みが与えられた紐又は紐状部材である（図７Ａ）。
【００４９】
係合作動部７５５は重りを含むことができ、そこに、結束線７２０の一端が接続されている。重りは、火災スプリンクラーヘッド７４０のプラグ７４８によって支持されている。図７Ｂに示されているように、スプリンクラーヘッドの感熱要素７４２が破壊によって上昇した温度状態に反応すると、スペーサ７４８及び係合作動部７５５はスプリンクラーヘッド７４０を通って落下する。係合作動部７５５の重りが結束線７２０の緩みを除去して、それによって、結束線に張力が印加されて第１の端部分７２５に位置するバルブが開けられる。バルブを開けることで、流体７８０が、バルブから下方に導管を通って火災スプリンクラーヘッドの外に流される。
【００５０】
さらに他の実施形態に従ったフレキシブルドライスプリンクラーの係合作動部が、図８Ａ及び８Ｂによって描かれている。係合作動部８５５はフレキシブル導管８１０の内部に設けられ、導管の第２の端部分８３５に近接して位置する。係合作動部８５５は、圧縮ばね８５６、移動止め８５７、ピン８５４、及びブッシング８５８を含む。ピン８５４は結束線結合部材であり、結束線８２０の端部分に接続されている。図８Ａは非係合状態の結束線を描いており、図８Ｂは係合状態の結束線を描いている。
【００５１】
フレキシブルドライスプリンクラーは、その第２の端に火災スプリンクラーヘッド８４０を含むことができて、これは、そこを通って延在している開口８４９を規定するボディ８４７を含む。火災スプリンクラーヘッド８４０はさらに、感熱バルブ８４２と、開口８４９に位置するピップキャップ８４８及びスペーサ８４１と、を含む。
【００５２】
見られるように、スペーサ８４１はブッシング８５８を支持し、これが今度は結束線８２０に接続されたピン８５４を支持する。圧縮ばね８５６は、導管内に移動止め８５７とブッシング８５８との間で圧縮された状態で存在し、それによってブッシング８５８及びピン８５４をスプリンクラーヘッド８４０に向かって付勢する。この実施形態における結束線８２０は、非係合状態で緩みが与えられた紐又は紐状部材であり、この状態では、ばねの圧縮によって影響されない。結束線８２０は、感熱要素８４２が上昇した温度状態に反応するまでは、火災スプリンクラーヘッドに向かって付勢されていないままである。
【００５３】
図８Ｂに示されるように、火災スプリンクラーヘッド８４０の感熱要素８４２が上昇した温度状態に反応するとバルブが破損し、これがピップキャップ８４８及びスペーサ８４１の支持を喪失させる。圧縮ばね８５６はブッシング８５８及びピン８５４を下方に押し、これが結束線から緩みを迅速に取り除いて、結束線に負荷を印加してバルブを開ける。
【００５４】
図９Ａ〜９Ｂは、係合作動部９５５の他の実施形態を描いている。この実施形態では、係合作動部９５５はフレキシブル導管９１０の内部に設けられており、導管の第２の端部分９３５に近接して位置している。フレキシブル導管９１０はフレキシブルな部分を含み、スプリンクラーヘッドの位置を上述されたように位置させることができるが、図９Ａ〜９Ｂに描かれたフレキシブル導管９１０の部分は剛性で非フレキシブルであり、これが、導管が曲げられたときに係合作動部９５５の通常動作を容易にする。係合作動部９５５は、圧縮ばね９５６、横断支持部材９５８、延長ロッド９５４、ピボットバー９１４、及びブッシング９７２を含む。結束線９２０は横断支持部材９５８に接続されている。図９Ａは非係合状態の結束線を描いており、図９Ｂは係合状態の結束線を描いている。
【００５５】
図８の実施形態と同様に、火災スプリンクラーヘッド９４０は第２の端に設けられており、これは、感熱バルブ９４２と、開口９４９に位置するピップキャップ９４８及びスペーサ９４１と、を含む。スペーサ９４１はブッシング９７２を支持し、これが今度はピボットバー９１４を支持し、これが延長ロッド９５４及び横断支持部材９５８を支持する。圧縮ばね９５６は、導管内に移動止め９５７とブッシング９５８との間で圧縮された状態で存在する。圧縮ばね９５６は、横断支持部材９５８を下向きにスプリンクラーヘッド９４０に向かって押し付ける。
【００５６】
この実施形態における結束線９２０は、非係合状態で緩みが与えられた紐又は紐状部材であり、この状態では、ばねの圧縮によって影響されない。図９Ａに示されるように、結束線９２０は、感熱要素９４２が上昇した温度状態に反応するまでは、火災スプリンクラーヘッドに向かって付勢されていないままである。
【００５７】
図９Ｂを参照すると、火災スプリンクラーヘッド９４０の感熱要素９４２が上昇した温度状態に反応するとバルブが破損し、これがピップキャップ９４８及びスペーサ９４１の支持を喪失させる。圧縮ばね９５６は横断支持部材９５８及び延長ロッド９５４を火災スプリンクラーヘッドに向けて押し、これがブッシング９７２を図９Ｂで下向きに動かす。ブッシング９７２がひとたび下に動くと、ピボットバー９１４が、延長ロッド９５４を支持する水平位置（図９Ａ）から延長ロッド９５４を支持しない垂直位置（図９Ｂ）に回転する。ピボットバー９１４がひとたび回転すると、延長ロッド９５４が、図９Ｂに示されるようにブッシング９７２の内部に押し込まれる。これが横断支持部材９５８を迅速にスプリンクラーヘッドに向けて動かし、これが結束線９２０から緩みを取り除いて、結束線９２０に負荷を印加してバルブを開ける。図８の実施形態に比べて、この実施形態は、結束線から、より大きな緩みが取り除かれることを許容することができる。なぜなら、結束線に結合している係合作動部の部分が、図９の実施形態では、より大きな距離を移動することができるからである。
【００５８】
さらに他の実施形態に従ったフレキシブルドライスプリンクラーの係合作動部が、図１０Ａ及び１０Ｂに関して描かれている。
【００５９】
図１０Ａは、火災スプリンクラーヘッド１０４０が上昇した温度状態に反応していない通常状態におけるフレキシブルドライスプリンクラーの第２の端１０３５の切開図を描いている。この実施形態では、係合作動部１０５５は横断支持部材１０５８を含み、これはピン１０５４によって支持され、これが今度は火災スプリンクラーヘッド１０４０のピップキャップ１０４８によって支持される。横断支持部材１０５８は回転するように付勢され、移動止め１０５７と圧縮ばね１０５６との間で圧縮された状態にある。結束線１０２０は横断支持部材に接続されており、張力が与えられていない紐又は紐状の部材である。
【００６０】
図１０Ｂに示されているように、火災スプリンクラーヘッド１０４０の感熱バルブ１０４２が上昇した温度状態に反応すると、ピップキャップ１０４８及びピン１０５４が支持されなくなり、これが横断支持部材１０５８を移動止め１０５７から外れるように回転させ、圧縮ばね１０５６が横断支持部材１０５８を火災スプリンクラーヘッド１０４０に向けて外向きに押す。横断支持部材１０５８の火災スプリンクラーヘッドに向けた動きが結束線１０２０に負荷を印加し、それによって結束線１０２０に張力を印加してバルブキャッチに引き付けて、バルブを開ける。
【００６１】
上述のように、上記の実施形態の各々における結束線の第１の端は、ひとたび結束線が係合されるとバルブが開状態に動くことを許容するか又は動かし、且つ好ましくはバルブを開状態に維持するように構成されたバルブキャッチによって、バルブに動作可能に結合されている。一般的には、バルブは閉状態に付勢されることができて（例えば干渉によって又は機械的エネルギーによって付勢されて）、そこでは流体はバルブを通って流れない。バルブは、付勢が除去されて流体がバルブを通って流れることが許容される開状態を有する。バルブキャッチは、結束線に印加された負荷を移動させてバルブ付勢を開放し、バルブを開けるように、ならびにバルブを開状態に維持するように、動作可能であることができる。バルブ及びバルブキャッチの動作を描いた例示的な実施形態が、図１１Ａ〜１５Ｂに関連して以下に記述される。
【００６２】
図１１Ａ〜１１Ｃは、ドライスプリンクラーの一つの実施形態に従ったバルブ１１６０及びバルブキャッチ１１７０を描いている。この実施形態では、バルブ１１６０及びバルブキャッチ１１７０の両方が、導管１１１０の第１の端１１２５に近接して位置されている。ドライスプリンクラーでは、バルブは一般的に、分岐ラインに接続されたスプリンクラーの第１の端（流体流入口）に向かって位置している。描かれた実施形態では、バルブは第１の端の近くに位置しており、これが、通常の動作の間には（すなわち、感熱要素が無感、すなわち無反応のままであるとき）、ドライスプリンクラーの実質的に大部分を乾燥状態に維持させる。
【００６３】
図１１Ａはバルブキャッチ１１７０及びバルブ１１６０のパーツを描く分解図である。バルブ１１６０は、導管の第１の端の近くのバルブ開口１１８１に位置している。図１１Ｂに示されるように、バルブ開口１１８１はキャップ１１８２及びシールリング１１６５によって閉じられている。キャップ１１８２及びバルブハウジング１１６７はピン１１８７の上に支持されている。バルブキャッチ１１７０は、回転ピン１１８６及びフック１１８３を支持するバルブキャッチハウジング１１９０を含む。バルブキャッチハウジング１１９０は、任意の適切な構造によって、導管１１１０内部に支持又は固定されることができる。バルブキャッチハウジング１１９０は、ピン１１８７を収容する細長い溝１１９２を含み、ピン１１８７は細長い溝１１９２の内部で移動可能である。溝１１９２は、導管１１１０の長さに沿った方向に延びている。
【００６４】
図１１Ｂで見ることができるように、バルブが閉状態にあると、ピン１１８７は溝１１９２の上端に位置する。バルブが開状態にあると、ピン１１８７は回転可能フック１１８３によって溝１１９２の上端に支持される。回転可能フック１１８３は、ピン１１８７の下部の下方に延在して且つ接触する部分を有しており、それによってピン１１８７及びキャップ１１８２を、バルブを閉状態に維持する位置に支持する。フック１１８３は、ハウジング１１９０に関して回転ピン１１８６の周囲に回転可能に支持されている。フック１１８３は溝１１８４を含み、これはフック１１８３の縁に沿って延在して結束線１１２０をフックの縁の周りにガイドする。
【００６５】
図１１Ｃは、感熱要素が上昇した温度状態に反応したことに応じて、結束線１１２０が係合作動部によって係合された状態を描いている。係合作動部は、下向きの負荷を結束線１１２０に印加する。この状態では、結束線１１２０は、フックを回転ピン１１８６の周囲で時計回りに（図１１Ｂ及び１１Ｃの各々から）回転させる。フック１１８３がある点を越えて回転すると、ピン１１８７、ハウジング１１６７、及びキャップ１１８２は溝１１９２の上部で支持されなくなり、重力及び／又はバルブ１１６０にかかる流体圧によって下向きに押される。これがシール部材（キャップ１１８２及びシールリング１１８１）をバルブ開口１１８１の外に押し出し、それによってバルブ１１６０を開位置に動かす。図１１Ｃに見ることができるように、キャップ１１８２は、ねじりばね１１８５の力によって、９０度だけ回転することができる。それによって結束線１１２０は、結束線が係合されたときにバルブを開けることが許容されるように、バルブに動作可能に結合される。バルブ及びバルブキャッチを、キャップが流体から出るように回転するように形成することで、キャップが導管内部に留まることを妨げることができ、それによって火災の場合の流体の流れのブロックを防ぐことができる。
【００６６】
図１２Ａ〜１２Ｂは、ドライスプリンクラーの第１の端部分１２２５に設けられた他の実施形態のバルブキャッチ１２７０を描く部分切開図である。図１２Ａは閉位置のバルブ１２６０を描き、図１２Ｂは開位置のバルブ要素１２６０を描いている。バルブ１２６０は、シール部材を形成するキャップ１２８２及びシールリング１２６５を含む。キャップ１２８２及びシールリング１２６５はハウジング１２６７の上に回転可能に支持されていて、ねじりばね１２８７によって回転可能に付勢されている。
【００６７】
バルブキャッチ１２７０は、圧縮ばね１２１３、保持リング１２５７、支持ボール１２３３、及び外側ハウジング１２７７を含む。支持ボールは溝１２３５に位置し、部分的にハウジング１２７７を通って延在している。図１２Ａで見られるように、ボール１２３３はハウジング１２６７を支持する。ボール１２３３は、支持ボール１２３３を収納するように溝１２３４が設けられた保持リング１２５７によって、所定の位置に保持される。保持リング１２５７は、オプションとして圧縮ばね１２１３によって所定の位置に保持されることができる。保持リング１２５７はまた、ボールを十分な力で保持リング１２５７に対して押して所定の位置に保持するようにボール１２３３及び／又は溝１２３４のサイズ及び配置を調整することによっても、所定の位置に保持されることができる。結束線１２２０は保持リングに接続される。図１２Ａは、結束線１２２０が非係合状態で且つバルブキャッチ１２７０がトリガされていないときのスプリンクラーを描いている。
【００６８】
図１２Ｂは起動状態のバルブキャッチを描いている。図１２Ｂにおいて、結束線１２２０は係合状態で張力が印加されており、圧縮ばね１２１３の力を超える力で保持リング１２５７を引いている。結束線１２２０は保持リング１２５７を下向きに引き、これが支持ボール１２３３を開放する。ひとたび支持ボール１２３３が開放されると、ハウジング１２６７は下向きに動き、これがキャップ１２８２及びシールリング１２６５をねじりばね１２８７の力から９０度回転させ、それによってバルブを開ける。
【００６９】
図１３Ａ〜１３Ｂは、ドライスプリンクラーの端部分１３２５に設けられたバルブキャッチ１３７０を描く部分切開図である。図１３Ａは閉位置のバルブ１３６０を描き、図１３Ｂは開位置のバルブ１３６０を描いている。バルブ要素は図１２のものと同様であり、ハウジング１３６７の上に回転可能に支持されたキャップ１３８２を含む。キャップ１３８２は、ねじりばね１３８７によって回転可能に付勢されている。バルブキャッチ１３７０は、フランジ部１３４７を有するピボットアーム１３３７を含む。フランジ部１３４７はハウジング１３６７を支持し、バルブを閉位置に維持する。ピボットアーム１３３７はハウジング１３６７の外周上に設けられており、これは、一端にフランジ部１３４７を受容するための孔又は切り欠きを含み、他端に回転端部分１３５５を含んでいる。ピボットアーム１３３７は、ピボットアーム１３３７のフランジ部１３４７上でハウジング１３６７を押す流体圧の力によって、外向きに付勢されている。ピボットアーム１３３７は保持リング１３５７によって所定の位置に保持されており、これは、圧縮ばね１３１３によって支持されている。保持リング１３５７は結束線１３２０に接続されている。図１３Ａは、結束線１３２０が非係合状態で且つバルブキャッチ１３７０がトリガされていないときのスプリンクラーを描いている。
【００７０】
図１３Ｂは、結束線１３２０が係合された起動状態のバルブキャッチ１３７０を描いている。図１３Ｂにおいて、結束線１３２０は係合状態で張力が与えられていて、保持リング１３５７を下向きに引いている。ひとたびリング１３５７がピボットアーム１３３７の回転端１３５５を越えて引き下げられると、ピボットアーム１３３７のフランジ部１３４７上でハウジング１３６７からの下向きの力が、ピボットアーム１３３７の回転端１３５５をハウジング１３７７から外向きに回転させる。これが今度はハウジング１３６７を下向きに動かし、これがねじりばね１３８７の力によってキャップ１３８２の回転を許容し、それによってバルブを開ける。
【００７１】
図１４Ａ〜１４Ｂは、ドライスプリンクラーの第１の端部分１４２５に設けられたバルブキャッチ１４７０を描く断面図である。図１４Ａは閉位置のバルブ１４６０を描き、図１４Ｂは開位置のバルブ１４６０を描いている。バルブ要素は図１３のものと同様であり、ハウジング１４６７の上でピン１４８８の周りを回転可能に支持されたキャップ１４８２を含む。キャップ１４８２はばね（図示されず）によって回転可能に付勢されている。バルブキャッチ１４７０は、ピボット点１４５６の周りを回転する長いピボットアーム１４３７と、ピボット点１４６６の周りを回転する短いピボットアーム１４３８と、を含む。長いピボットアーム１４３７は端部１４４７を含み、短いピボットアーム１４３８はフランジ部１４４８を含む。ピボットアーム１４３７、１４３８は、ハウジング１４７７の外周上に設けられている。バルブ１４６０が閉位置にあると、長いピボットアーム１４３７の端部１４４７は短いピボットアーム１４３８のフランジ部１４４８にあり、長いピボットアーム１４３７は、導管１４１０を横切って延在する位置に支持される。この位置では、長いピボットアーム１４３７はバルブ１４６０のハウジング１４６７を支持する。バルブ１４６０にかかる流体の力がハウジング１４６７及び長いピボットアーム１４３７に力を印加し、これが短いピボットアーム１４３８に回転モーメントを生成する。
【００７２】
バルブキャッチ１４７０は保持リング１４５７を含み、これが、バルブ１４６０が閉位置にあるときに短いピボットアーム１４３８が外向きに回転することを妨げる。保持リング１４５７は圧縮リング１４１３によって支持されている。結束線１４２０は保持リング１４５７に接続されている。図１４Ａは、結束線１４２０が非係合状態で且つバルブキャッチ１４７０がトリガされていないときのスプリンクラーを描いている。
【００７３】
図１４Ｂは、結束線１４２０が係合された起動状態のバルブキャッチ１４７０を描いている。図１４Ｂにおいて、結束線１４２０は係合状態で、リング１４５７を下向きに引いている。ひとたびリング１４５７が短いピボットアーム１４３８の回転端を越えて引き下げられると、ハウジング１４６７が長いピボットアーム１４３７に作用する力が、短いピボットアーム１４３８の端をハウジング１４７７から外向きに回転させ、これが長いピボットアーム１４３７を図１４Ａ及び１４Ｂの各々から時計回りに回転させる。これが今度はハウジング１４６７を下向きに動かし、これが、キャップ１４８２がピン１４８８の周りで９０度回転することを許容し、それによってバルブを開ける。
【００７４】
図１５Ａ及び１５Ｂは、ドライスプリンクラーの端部分１５２５に設けられたバルブキャッチ１５７０を描く断面図である。図１５Ａは閉位置のバルブ１５６０を描き、図１５Ｂは開位置のバルブ１５６０を描いている。図１５Ａにおいて、バルブキャッチ１５７０は、クリップ１５２１、レバー１５５１、及び主ピボット１５３３を含む。キャップ１５８２及びシールリング１５６５は、主ピボット１５３３によって導管内部で回転可能に支持されている。レバー１５５１は、ピボット点１５４９にて導管１５１０に対して回転可能に支持されている。図１５Ａ及び１５Ｂにおいて、ピボット点１５４９は、レバー１５５１がピボット点１５４９にてキャップ１５８２にピボット的に接続されるように、キャップ１５８２に位置している。閉位置では、キャップ１５８２はピボット点１５４９の近くでレバー１５５１の上に支持される。代替的な構造では、ピボット点１５４９は導管の内壁に支持されるピンであることができて、レバー１５５１はキャップ１５８２上でピボット回転しない。
【００７５】
レバー１５５１は、バルブ１５６０が閉状態にあるときにスプリンクラーハウジングのノッチ１５４６に支持される延長部１５４７を含む。他端では、レバー１５５１は、バルブ１５６０が閉じているときにクリップ１５２１によって保持されるクリップ端１５６２を含む。バルブキャッチ１５７０は、バルブ１５６０が閉じているときにクリップ１５２１によって保持される第２のクリップ端１５６１を含む。クリップ１５２１はレバー１５５１を水平位置に保持して、レバー１５５１がピボット点１５４９の周りを回転することを防ぐ。クリップ１５２１は結束線１５２０に接続されている。
【００７６】
図１５Ｂは、結束線１５２０が係合された起動状態のバルブキャッチ１５７０を描いている。図１５Ｂにおいて、結束線１５２０は係合状態で張力が印加されており、クリップ１５２１を下向きに引いてクリップ端１５６１、１５６２を外す。クリップ１５２１が取り除かれると、レバー１５５１がピボット１５４９の周囲で回転し、これが延長部１５４９を持ち上げてノッチ１５４６から外す。これがキャップ１５８２を主ピボット１５３３の周りで回転させて、バルブを開ける。
【００７７】
フレキシブルドライスプリンクラーは、図１６Ａ〜１６Ｃに示されるように、オプションで結束線シースを含むことができる。フレキシブルドライスプリンクラー１６５０には結束線シース１６３０が設けられており、これは、結束線１６２０の長さの大半に渡って結束線１６２０を囲む。結束線シース１６３０は、オプションとして導管１６１０の内部で中心に位置されることができる。結束線シース１６２０は、導管１６１０が曲げられたときに結束線１６２０に生成される緩みの量を減らすために使用されることができる。導管が曲げられるか動かされたときに結束線１６２０が誤って係合してバルブを開けることを防ぐために、結束線１６２０におけるいくらかの緩みは望ましいことがある。しかし、導管１６１０が火災スプリンクラーヘッド１６４０を位置するために曲げられるときに、結束線１６２０の緩みの量は一般的に増す。なぜなら、結束線１６２０が導管１６１０の内部で一端のバルブキャッチから他端の係合作動部まで延在して存在するために求められる距離は、導管１６１０が曲げられると短くなる一方で、結束線１６２０の自由長はもちろん同じのままであるからである。結束線シース１６３０は、結束線１６２０を導管１６１０内部で中心に保持し、これが、フレキシブル導管１６１０が曲げられたときに結束線１６２０に導入される緩みの量を低減し、これにより係合作動部がトリガされたときに余分な緩みを除去する必要性を無くす。
【００７８】
結束線シース１６３０は、導管内部で実質的にバルブキャッチから係合作動部まで延在する中空の管状部材であることができる。結束線シース１６３０は、実質的に導管の長さだけ、すなわち導管長の８０％だけ延在することができる。結束線シース１６３０は、フレキシブル導管１６１０の断面寸法よりも小さい断面寸法（すなわち直径）を有することができる。
【００７９】
図１６Ｂに示されるように、結束線シース１６３０は、導管１６１０内部で第２の端１６３５に近接してシース１６３０を中心に位置させる横断バー部材１６３２に結合されることができる。同様に、図１６Ｃに示されるように、結束線シース１６３０は、導管１６１０内部で第１の端１６２５に近接してシース１６３０を中心に位置させる第２の横断バー部材１６３４に結合されることができる。結束線シース１６３０は、フレキシブルな弾性材料、例えば弾性ポリマ又はゴムで形成されることができて、図１６Ａに描かれるように、フレキシブル導管１６１０が変形／曲げによって曲げられたときに一定の長さを維持して、導管１６１０の曲げを収容する。
【００８０】
上記で記述されたバルブ及びバルブキャッチの各々は、上述された係合作動部、結束線、及び／又はシースの任意のものを含む任意の実施形態で使用されることができる。バルブ及びバルブキャッチのタイプは同様に特に限定されず、当業者は、導管を通る流体の流れを制御するために代替的な構造が動作可能であることを理解するであろう。さらに、バルブは導管内部に位置するように描かれているが、バルブは、導管の流体流入口端の上流の導管の外側、例えば分岐ライン内部に置かれるように構成されることができる。
【００８１】
ここで記述されたドライスプリンクラーは、暖房されていない又は冷蔵された空間で火災保護を提供するために、火災抑制システムと共に使用されることができる。いくつかの実施形態では、バルブの上流にあるドライスプリンクラーの部分は「ウエット」であることができる。バルブを含むドライスプリンクラーの部分は、温度が所定の温度よりも下がらないように制御された熱制御空間に配置されることができる。例えば、熱制御空間は、温度が華氏７０度より低く、華氏４０度より低く、または凍結点より低く下がらないように制御されることができる。バルブの下流に位置するスプリンクラーの「ドライ」部分は、より低い温度状態におかれることができる。なぜなら、火災抑制流体が凍結して、導管を破裂させるか、あるいは他の方法でスプリンクラーの正常な動作を妨害するリスクが無いからである。これより、いくつかの実施形態では、火災スプリンクラーヘッドを含むドライスプリンクラーの部分は、温度が制御されない暖房されていない空間に置かれる。そのような暖房されていない空間は、ガレージ、屋根裏、屋外の歩道、屋根付き通路、駐車場、バルコニー、デッキ、荷積みドック、ダクトなどを含み得る。さらに他の実施形態では、火災スプリンクラーヘッドを含むドライスプリンクラーの部分は、火災保護が望まれ（例えば冷蔵ロッカーやウォークインのような）且つ温度が凍結点近く又はそれより低く維持される冷蔵空間に置かれることができる。
【００８２】
他の実施形態では、水の流れがバルブの上流で、例えば主制御バルブで止められれば、ドライスプリンクラー全体が暖房されていない又は冷蔵された空間に置かれることができる。この構成では、ドライスプリンクラー全体及び接続する分岐ラインはドライのままであり、制御バルブの上流のパイプネットワークの部分のみがウエットである。そのときには制御バルブは、煙感知器又は熱駆動センサによる火災の存在時に、トリガされて開く。
【００８３】
開示されたドライスプリンクラー、スプリンクラーシステム、操作方法及び設置方法が例示的な実施形態に関連して記述されてきたが、これらの実施形態は、制約的ではなく描写的なものとして見られるべきである。開示の思想及び範囲内で、様々な改変、置換などが可能であることを理解されたい。
【図１】
0006267230.tif 000002
【図２Ａ】
0006267230.tif 000003
【図２Ｂ】
0006267230.tif 000004
【図２Ｃ】
0006267230.tif 000005
【図３】
0006267230.tif 000006
【図４】
0006267230.tif 000007
【図５】
0006267230.tif 000008
【図６Ａ】
0006267230.tif 000009
【図６Ｂ】
0006267230.tif 000010
【図７Ａ】
0006267230.tif 000011
【図７Ｂ】
0006267230.tif 000012
【図８Ａ】
0006267230.tif 000013
【図８Ｂ】
0006267230.tif 000014
【図９Ａ】
0006267230.tif 000015
【図９Ｂ】
0006267230.tif 000016
【図１０Ａ】
0006267230.tif 000017
【図１０Ｂ】
0006267230.tif 000018
【図１１Ａ】
0006267230.tif 000019
【図１１Ｂ】
0006267230.tif 000020
【図１１Ｃ】
0006267230.tif 000021
【図１２Ａ】
0006267230.tif 000022
【図１２Ｂ】
0006267230.tif 000023
【図１３Ａ】
0006267230.tif 000024
【図１３Ｂ】
0006267230.tif 000025
【図１４Ａ】
0006267230.tif 000026
【図１４Ｂ】
0006267230.tif 000027
【図１５Ａ】
0006267230.tif 000028
【図１５Ｂ】
0006267230.tif 000029
【図１６Ａ】
0006267230.tif 000030
【図１６Ｂ】
0006267230.tif 000031
【図１６Ｃ】
0006267230.tif 000032